(57)【要約】【課題】  通常のプリンタ（印刷装置）を用いての印刷物に対する改竄確認などの管理を実現することを課題とする。【解決手段】  紙の情報印刷を行う場合、情報と同時に固有識別番号を持つＩＣチップを印刷情報に埋め込むことで、紙媒体の一枚一枚の管理が可能となる。固有識別番号を情報管理することで、利用権限、複写制限管理、証跡管理などの紙の統制管理や偽造改竄といった紙の不正使用も防ぐことが可能となる。ｓなわち、印刷の際に、印刷剤（インク、トナーを含む）に識別番号（識別情報）が記録された媒体（ＩＣチップ等）を混在して媒体上に塗布する。【選択図】  図１
2009086798.tif 000002
【特許請求の範囲】
【請求項１】
媒体上へ所定の情報を印刷する印刷システムにおいて、
前記媒体への印刷のための印刷剤および所定の識別番号を記憶したＩＣチップを保持する手段と、
印刷指示を受付ける手段と、
前記ＩＣチップを前記印刷剤に混入させて、前記媒体上に塗布することで、前記印刷指示に応じた印刷を実行する手段とを有し、
前記印刷された前記媒体に対して印刷剤と塗布された前記ＩＣチップに記憶された識別番号を読取り装置で読み取り可能にすることを特徴とする印刷システム。
【請求項２】
請求項１に記載の印刷システムにおいて、
前記印刷を実行する手段で塗布されるＩＣチップの識別番号を読み取る手段と、
読み取られた前記識別番号と前記印刷指示に関連する情報を対応付けて記憶する手段とをさらに有し、
前記読み取り装置で読み取った識別番号についての前記記憶する手段における検索結果に応じて、前記印刷された媒体に対する真正性の判断を可能とすること
を特徴とする印刷システム。
【請求項３】
請求項１に記載の印刷システムで印刷された前記媒体に対する複写要求を受付ける手段と、
前記媒体から前記識別番号を読み取る手段と、
前記識別情報と対応付けて、当該媒体の複写可能回数および当該媒体に対する複写実行回数を記録したテーブルを記録する手段と、
読み取られた前記識別番号に対応する複写可能回数および複写実行回数を読み出す手段と、
読み出された前記複写可能回数と読み出された前記複写実行回数に前記複写要求に含まれる回数を加えた回数を比較する手段と、
前記比較の結果、前記複写可能回数の数値が大きいか等しい場合に、前記複写要求に応じた複写を実行する手段とを有することを特徴とする複写装置。
【請求項４】
請求項３に記載の複写装置において、
前記複写可能回数、前記複写実行回数および前記複写要求に含まれる回数は、複写物の枚数であることを特徴とする複写装置。
【発明の詳細な説明】
【技術分野】
【０００１】
本発明は、紙を含む媒体への印刷や複写の際の媒体管理、媒体へ出力した情報セキュリティに関する技術である。
【背景技術】
【０００２】
従来、媒体（特に紙）における偽造防止などの管理が行われていた。この管理のために、透かしなどを入れた特殊紙や特殊インクなどの技術を使い、偽造防止、不正複写の防止を行われていた。例えば、特許文献１においては、特殊インクの印刷部分に２次元コードを重ねて印刷した入場券などを複写した後に、特殊インクが印刷された部分を切り取って２次元コード上に貼り付けて行う偽造を適切に判定する技術を提供するを目的としている。このために、特許文献１においては、デコード時に誤り訂正を使用した場合には、誤り訂正位置を算出し、その誤り訂正位置が、偽造判定位置として指定された位置と一致するか否かを確認する。そして、誤り訂正が指定されたブロックで使用されている場合には、偽造券であると判定する、ことが開示されている。
【０００３】
【特許文献１】特開２００１−６０１４号公報
【発明の開示】
【発明が解決しようとする課題】
【０００４】
しかしながら、特許文献１においては、特殊なインクを使うことや印刷内容の他に、２次元コードという特別なものを印刷する必要があった。つまり、通常のプリンタ（印刷装置）を用いての管理を実現することは困難であった。
【課題を解決するための手段】
【０００５】
本発明の目的は、上記従来の問題点をなくし、情報を紙に出力した場合の紙媒体と紙に出力された情報の管理を実現することにある。
このために、本発明では、印刷の際に、印刷剤（インク、トナーを含む）に識別番号（識別情報）が記録された媒体（ＩＣチップ等）を混在して媒体上に塗布する。この本発明には、以下の態様が含まれる。（１）紙の情報の中に固有の識別番号を持つＩＣチップを印刷の際（もしくはその前後）埋め込む。（２）紙の中に埋め込まれた固有に識別番号を持つＩＣチップを読み取る。（３）固有の識別番号を持つＩＣチップを読取り、認証管理を行う。（４）固有の識別番号を持つＩＣチップを読取り、紙の証跡管理を行う。
【０００６】
より具体的には、以下の態様が含まれる。
媒体上へ所定の情報を印刷する印刷システムにおいて、前記媒体への印刷のための印刷剤および所定の識別番号を記憶したＩＣチップを保持する手段と、
印刷指示を受付ける手段と、前記ＩＣチップを前記印刷剤に混入させて、前記媒体上に塗布することで、前記印刷指示に応じた印刷を実行する手段とを有し、
前記印刷された前記媒体に対して印刷剤と塗布された前記ＩＣチップに記憶された識別番号を読取り装置で読み取り可能にする印刷システム。また、この印刷システムで、前記印刷を実行する手段で塗布されるＩＣチップの識別番号を読み取る手段と、読み取られた前記識別番号と前記印刷指示に関連する情報を対応付けて記憶する手段とをさらに有し、前記読み取り装置で読み取った識別番号についての前記記憶する手段における検索結果に応じて、前記印刷された媒体に対する真正性の判断を可能とする印刷システムも本発明に含まれる。
【０００７】
また、上記の印刷システムで印刷された前記媒体に対する複写要求を受付ける手段と、前記媒体から前記識別番号を読み取る手段と、前記識別情報と対応付けて、当該媒体の複写可能回数および当該媒体に対する複写実行回数を記録したテーブルを記録する手段と、読み取られた前記識別番号に対応する複写可能回数および複写実行回数を読み出す手段と、読み出された前記複写可能回数と読み出された前記複写実行回数に前記複写要求に含まれる回数を加えた回数を比較する手段と、前記比較の結果、前記複写可能回数の数値が大きいか等しい場合に、前記複写要求に応じた複写を実行する手段とを有することを特徴とする複写装置も本発明に含まれる。さらに、この複写装置において、前記複写可能回数、前記複写実行回数および前記複写要求に含まれる回数は、複写物の枚数であることを特徴とする複写装置も本発明に含まれる。
【０００８】
なお、これらの複写装置を実現するために、複数の複写装置と上記テーブルが記録されたデータベースがネットワークを介して接続されており、複写装置から印刷回数（枚数）を示す情報（利用者が押した枚数指定や実行キーを押した回数）と読み取った識別番号を、データベースに送信することで、データベースでは複写実行回数を更新する。また、複写装置が、データベースと接続していない場合には、複写を禁止するよう制御してもよい。
【０００９】
また、本発明においては、印刷の際、１つの媒体に複数のＩＣチップを塗布し、塗布されたＩＣチップの識別番号のそれぞれを１つのグループとして、上記のデータベースに印刷内容と対応付けて記録しておき、読み取りの際、そのグループのうち少なくとも１つの識別番号を含むグループのものとその媒体（印刷物）を判断する。また、予め所定単位数のＩＣチップを、この所定単位に対応する印刷剤と混入など対応付けて保持していても良いし、印刷の度にその識別番号を読み取ったり（予め塗布されるＩＣチップの識別番号をデータをして保持）することで印刷内容と識別番号の対応付けを行ってもよい。
【発明の効果】
【００１０】
紙に固有の識別番号を持つＩＣチップを埋め込むことで、紙の一枚一枚毎の情報管理、証跡管理、不正使用の検知が可能となる。
【発明を実施するための最良の形態】
【００１１】
以下、本発明の実施例に関し、図面を参照しながら説明する。先ず、使用する図面について説明する。
【００１２】
図１は本実施の形態を実現するための全体概要図を示したもので、図中100は紙への印刷を指示する端末装置であり、101は紙を複写するための装置で、102は紙を印刷するための印刷情報を管理する管理システムであり、103は、印刷情報を記録するデータベースであり、104は、印刷情報をネットワークを跨って管理する管理システムであり、105は図中104で管理するデータベースであり、106はネットワークシステムであり、107は印刷情報を印刷する装置である。
【００１３】
図２は、本実施の形態を実現するための紙媒体のブロック図を示したもので、図中200は紙媒体であり、201は紙媒体に出力する情報そのもので、202は紙媒体に出力する情報と一緒に埋め込まれる固有の識別番号を持つＩＣチップを示す。
【００１４】
図３は、本実施の形態を実現するための紙媒体に情報を出力する図１の図中107の装置のブロック図を示したもので、図中300は紙媒体に情報を出力する装置本体であり、
301は紙媒体に埋め込まれた固有の識別情報を持つＩＣチップの情報を読み取る装置であり、302は紙媒体に情報を印刷する装置であり、303は紙媒体に情報出力と一緒に固有の識別番号をもつＩＣチップを同時に埋め込む装置を示す。
【００１５】
図４は、本実施の形態を実現するための紙媒体への情報出力指示を行う図１図中100の装置のブロック図を示したもので、図中の400は情報出力指示管理端末装置であり、401は情報を作成するアプリケーションプログラムであり、402は情報を印刷するプログラムであり、403は固有の識別情報を持つＩＣチップの埋め込み指示、権限情報を指示する図中402の中で動作するプログラムを示す。
【００１６】
図５は、本実施の形態を実現するための固有識別番号の情報を管理する図１の図中102,104の装置のブロック図を示したもので、図中の500は固有識別番号の情報を管理する装置であり、501は固有識別番号の情報管理プログラムを示す。
【００１７】
図６は、本実施の形態を実現するための図２の詳細として、紙媒体への固有識別番号を持つＩＣチップを埋め込むブロック図を示したもので、図中600は紙に印刷するインクであり、601は固有識別番号を持つＩＣチップであり、602は紙媒体である。
【００１８】
図７は、本実施の形態を実現するための固有の識別番号を持つＩＣチップを紙へ印刷したブロック図を示したもので、図中700は固有識別番号を持つＩＣチップを埋め込んだ印刷情報の出力例であり、701は図中700の拡大図であり印刷文字のインクの中にＩＣチップが埋め込まれた状態を示す。
【００１９】
図８は、本実施の形態を実現するための紙と印刷装置と印刷管理サーバのブロック図を示したもので、図中800は印刷する紙媒体を示し、801は印刷装置であり、804は紙にインクを吹き付ける印刷装置であり、802はインクの噴出し口を示し、803は固有の識別番号を持つＩＣチップを紙に埋め込む装置を示す、805は紙へ固有の識別番号を持つＩＣチップを埋め込む時の条件を算出するプログラムであり、このプログラムを用いて何処にいくつのＩＣチップを埋め込むかを決定する、806は印刷管理サーバであり、807は固有の識別情報を持つＩＣチップの埋め込み条件を決定するプログラムである。
【００２０】
図９Ａ〜Ｃは、本実施の形態を実現するための処理フローを示したもので、処理フローは次の３つに分類される。図９Ａで示される処理１は、端末側処理として、図中901は図４に示す図中401で印刷する情報を作成する。この作成する情報とは、たとえば文章や図形、画像データをドキュメント化したものである。
【００２１】
902では、図４で示す図中402において、図中901で作成した情報の印刷する書式を設定する。次の903では図４で示す図中403で図中902の書式設定に追加してＩＣチップの埋め込み指定とＩＣチップで管理する情報設定する。この情報とは印刷者とＩＣチップの紐付け情報、印刷権限、複写権限や回数を示す。
【００２２】
次の904は、図４で示す図中402において図中901,902,903で作成した印刷情報をプリントサーバに対して印刷指示を行う。905では、プリントサーバから印刷完了情報を受け取り印刷の完了処理を行う。
【００２３】
次に、図９Ｂで示す処理２は、プリントサーバ側処理として、以下の処理を実行する。906では、図８で示す図中806で端末装置より印刷情報の受信、プリンタへの印刷情報作成を行う。この印刷情報にはＩＣチップの埋め込み指示情報が含まれる。
【００２４】
次に、907では、図８で示す図中807でＩＣチップの埋め込み指示の有無を判定する。ＩＣチップの埋め込み指示がある場合は、908に進む。そして、908ではＩＣチップの埋め込み情報を作成する。この埋め込み情報とは、プリンタ側でＩＣチップの埋め込みを判断するための条件と、プリントサーバで管理するデータベースへ格納する情報の基礎値となる情報が含まれる。
【００２５】
次に、909では、プリンタに対して906,909で作成した印刷情報をプリンタへ送信し印刷の実行を指示する。この指示を受け、印刷が実行された場合、910ではプリンタから印刷完了情報を受け取る。
【００２６】
次に、911では図中910で受け取った印刷完了情報からＩＣチップ埋め込み結果情報を判定する。そして、912で図１０に示す管理テーブルへＩＣチップ管理情報を格納する。
【００２７】
次に、図９Ｃで示される処理３はプリンタ処理として、以下の処理を実行する。まず、913では、図８の図中801でプリントサーバから印刷情報を受信する。そして、914では図８の図中805において、図中913で受信した印刷情報からＩＣチップ埋め込み情報を判定する。この結果、ＩＣチップ埋め込み指示があった場合は、引き続き915でＩＣチップ埋め込み条件を解析し、印刷情報の何処に、いくつＩＣチップを埋め込むかを決定する。
【００２８】
次に、916では印刷情報とＩＣチップ埋め込み情報を作成して、917で図８の図中804へ印刷情報を送信する。
【００２９】
そして、918ではＩＣチップの埋め込み指示を判断し、ＩＣチップ埋め込み指示がある場合には、919にて図中802から印刷情報、図中803からＩＣチップを図８の図中800へ出力する。また、指示が無い場合は、920で印刷情報だけを図８の図中800へ出力する。
【００３０】
図１０は、本実施の形態を実現するための固有識別番号を持つＩＣチップを印刷情報と一緒に埋め込むときの情報を管理する管理テーブルを示したものである。
【００３１】
次に、本実施の形態の実現方法として、紙媒体の証跡管理システムについて具体的に説明する。図４のブロック401アプリケーションプログラムで印刷情報を生成し、ブロック402印刷プログラムにより印刷指示を行う。その際、ブロック403固有識別番号印刷指示サブプログラムを使って、紙媒体に固有識別番号を持つＩＣチップの埋め込み指示を行う。
【００３２】
図３の固有識別番号付き紙への印刷装置のブロック図302,303を使用して、図２の固有識別番号付き紙へ情報の印刷と固有識別番号付ＩＣチップの埋め込みを行う。この時に印刷指示を行った情報と紙に埋め込まれた固有識別番号の情報を図５のブロック５０１から図１０の管理テーブルに管理情報へ格納する。固有識別番号付紙媒体を使用した場合、図５の管理装置、図１０の管理テーブルから管理情報を得ることで紙媒体の証跡管理や利用権限のチェック及び複写制限管理などが可能となる。
【００３３】
次に、本実施の形態の実現方法として、偽造、改竄防止システムについて具体的に説明する。図２のブロック202は、図６の図中600の中に図中601が内包される状態で図中602に印刷の際に埋め込まれる。その場所は、図８の図中805で図中807から与えられる情報から決定されるため、外部から特定できない、またその条件は一定では無いため毎回場所が不特定である為、紙媒体の偽造、情報の改竄を困難にさせることが可能となる。また、図５ブロック501管理装置、図１０の管理テーブルの情報から紙媒体の固有識別番号を検証でも情報の改竄検知を実現させる。
【図面の簡単な説明】
【００３４】
【図１】固有識別番号付き紙媒体を構成するシステム概略を説明する図である。
【図２】固有識別番号付き紙媒体を説明する図である。
【図３】固有識別番号付き紙媒体の印刷／及び複写装置を説明する図である。
【図４】固有識別番号付き紙媒体の印刷指示装置を説明する図である。
【図５】固有識別番号付き紙の情報を管理する装置を説明する図である。
【図６】固有識別番号付きＩＣチップの紙への埋め込みを説明する図である。
【図７】印刷情報と、固有識別番号付きＣチップの埋め込み状況を説明する図である。
【図８】固有識別番号付きＩＣチップを印刷する関連装置を説明する図である。
【図９Ａ】固有識別番号付き紙媒体を作成する処理フローを説明する図である（その１）。
【図９Ｂ】固有識別番号付き紙媒体を作成する処理フローを説明する図である（その２）。
【図９Ｃ】固有識別番号付き紙媒体を作成する処理フローを説明する図である（その３）。
【図１０】固有識別番号付きＩＣチップ管理テーブルを説明する図である。
【符号の説明】
【００３５】
100：印刷指示端末
101：複写機
102：プリンタサーバ
103：プリンタサーバ管理データベース
104：統合管理サーバ
105：統合管理データベース
106：ネットワーク
107：プリンタ
200：固有識別番号を付与する紙
201：印刷情報
202：固有識別番号を持つＩＣチップ
300：紙への情報印刷及び複写装置
301：紙に埋め込まれた固有識別番号を読み取る装置
302：情報印刷装置
303：固有識別番号を持つＩＣチップを紙に埋め込む装置
400：印刷出力指示端末
401：印刷情報作成プログラム
402：印刷プログラム
403：固有識別番号印刷指示サブプログラム
500：固有識別番号管理装置
501：固有識別番号管理情報
600：インク
601：固有識別番号を持つＩＣチップ
602：紙
700：固有識別番号を持つＩＣチップを有す印刷文字
701：固有識別番号を持つＩＣチップ
800：紙
801：プリンタ
802：インク出力部
803：固有識別番号を持つＩＣチップ出力部
804：印刷装置
805：固有識別番号を持つＩＣチップ情報コントロールプログラム
806：プリント管理サーバ
807：固有識別番号を持つＩＣチップ情報設定プログラム
901：ドキュメント作成処理ブロック
902：印刷設定処理ブロック
903：固有識別番号を持つＩＣチップ設定処理ブロック
904：印刷実行処理ブロック
905：プリンタサーバ印刷完了処理ブロック
906：プリンタサーバの印刷情報受信処理ブロック
907：固有識別番号を持つＩＣチップ判定処理ブロック
908：固有識別番号を持つＩＣチップ情報作成処理ブロック
909：印刷指示処理ブロック
910：プリンタ印刷完了処理ブロック
911：固有識別番号を持つＩＣチップ情報書き込み判定処理ブロック
912：固有識別番号を持つＩＣチップ情報格納処理ブロック
913：プリンタの印刷情報受信処理ブロック
914：プリンタの固有識別番号を持つＩＣチップ判定処理
915：固有識別番号を持つＩＣチップ埋め込み解析処理ブロック
916：固有識別番号を持つＩＣチップ埋め込み情報作成処理ブロック
917：印刷指示処理ブロック
918：固有識別番号を持つＩＣチップ印刷判定処理ブロック
919：固有識別番号を持つＩＣチップ埋め込み処理ブロック
920：印刷処理ブロック
【図１】
2009086798.tif 000003
【図２】
2009086798.tif 000004
【図３】
2009086798.tif 000005
【図４】
2009086798.tif 000006
【図５】
2009086798.tif 000007
【図６】
2009086798.tif 000008
【図７】
2009086798.tif 000009
【図８】
2009086798.tif 000010
【図９Ａ】
2009086798.tif 000011
【図９Ｂ】
2009086798.tif 000012
【図９Ｃ】
2009086798.tif 000013
【図１０】
2009086798.tif 000014